(57)【要約】【課題】  完全に居住空間を間仕切って閉鎖した部屋を画成することができると共に、その部屋への出入口を適宜位置に形成することができるシステム家具を提供する。【解決手段】  システム家具は、少なくとも、収納本体１１の上端部に上枠１２を連結し、この上枠１２に沿って摺動する引戸１３を付設した引戸付収納家具１０と、前記上枠１２に連結自在とした端部収納家具２０と、前記引戸付収納家具１０に連結自在とした収納家具４０，５０，６０，７０と、から構成される。このシステム家具を使用して、居住空間Ｓを複数の部屋に間仕切ることによって、適宜部屋を適宜位置に画成することができ、空間可変住宅を実現することができる。【選択図】  図１２
2015208658.tif 000002
【特許請求の範囲】
【請求項１】
少なくとも、収納本体の上端部に上枠を連結し、この上枠に沿って摺動する引戸を付設した引戸付収納家具と、前記引戸付収納家具に連結自在とした端部収納家具と、前記引戸付収納家具及び端部収納家具に連結自在とした収納家具と、から構成したことを特徴とするシステム家具。
【請求項２】
前記上枠は、その長さが前記収納本体の横幅の略２倍であることを特徴とする請求項１に記載のシステム家具。
【請求項３】
前記引戸は、その横幅が前記収納本体の横幅と略同一であることを特徴とする請求項１又は２に記載のシステム家具。
【請求項４】
前記請求項１のシステム家具を使用して複数の部屋に間仕切ることによって、適宜部屋を適宜位置に画成することができる空間可変住宅。
【発明の詳細な説明】
【技術分野】
【０００１】
本発明は、居住空間を複数の部屋に間仕切ることができるシステム家具及びそれを使用して複数の部屋に間仕切ることができる空間可変住宅に関する。
【背景技術】
【０００２】
居住者の家族構成、ライフスタイル等が変化するに伴って、マンション等の居住空間において、部屋の間取りを変更する必要に迫られることが多くなった。このような場合、従来は、柱、壁等の構造部を再構築して、部屋の間取りを変更していた。
しかし、柱、壁等の構造部を再構築する場合には、設計業者、建築業者等に依頼して、部屋の間取りを設計し、柱、壁等の構造部を再構築して貰う必要があるから、長期の日数を要すると共に、高額な費用も要するものであった。
【０００３】
そこで、設計業者、建築業者等に依頼することなく、居住者が比較的簡単に部屋の間取りを変更できるように、間仕切りを使用することが知られており、この間仕切りとして収納家具を利用することも知られている。
そして、複数種類の収納家具からシステム家具を構成し、そのシステム家具の構成家具を適宜使用し、組み合わせることによって、適宜複数の部屋に間仕切ることができる空間可変住宅が知られている（例えば、特許文献１又は２参照）。
【０００４】
上記特許文献１に記載のシステム家具は、同一寸法の背板と、同一寸法の側板とを複数枚数連結して、複数種類の組立家具を構成するものであり、これら組立家具を居住空間の適宜位置に配置することによって、適宜複数の部屋に間仕切るものである。
【０００５】
上記特許文献２に記載のシステム家具は、収納棚と、クローゼットと、システムデスクとを複数連結して、これら家具を居住空間の適宜位置に配置することによって、適宜複数の部屋に間仕切るものである。
【先行技術文献】
【特許文献】
【０００６】
【特許文献１】特開２０１１−０００４２７号公報
【特許文献２】特開２００２−１７７０７２号公報
【発明の概要】
【発明が解決しようとする課題】
【０００７】
上記特許文献１に記載のシステム家具は、背板と側板とを複数枚数連結して、複数種類の組立家具を構成し、これら組立家具によって複数の部屋に間仕切るものであるから、完全に居住空間を間仕切って閉鎖した部屋を画成することはできない。
【０００８】
上記特許文献２に記載のシステム家具は、収納棚と、クローゼットと、システムデスクとを複数連結して、複数の部屋に間仕切るものであるから、やはり、完全に居住空間を間仕切って閉鎖した部屋を画成することはできない。
【０００９】
本発明は、かかる問題点を解決するために為されたものであって、複数種類の家具を適宜組合せることによって、完全に居住空間を間仕切って閉鎖した部屋を画成することができると共に、その部屋への出入口を適宜位置に形成することができるシステム家具を提供することを目的とする。
【００１０】
又、そのシステム家具を使用して複数の部屋に間仕切ることによって、適宜部屋を適宜位置に画成することができる空間可変住宅を提供することを目的とする。
【課題を解決するための手段】
【００１１】
上記目的を達成するために、本発明のシステム家具は、少なくとも、収納体の上端部に上枠を連結し、この上枠に沿って摺動する引戸を付設した引戸付収納家具と、前記収納本体に連結自在とした連結収納家具と、前記上枠に連結自在とした端部収納家具と、から構成したことを特徴とする。
【００１２】
又、本発明の空間可変住宅は、上記システム家具を使用して複数の部屋に間仕切ることによって、適宜部屋を適宜位置に画成することができることを特徴とする。
【００１３】
前記上枠は、その長さが前記収納本体の横幅の略２倍であるのが好ましい。又、前記引戸は、その横幅が前記収納本体の横幅と略同一であるのが好ましい。
【発明の効果】
【００１４】
本発明のシステム家具によれば、複数種類の家具を適宜組合せることによって、完全に居住空間を間仕切って閉鎖した部屋を画成することができると共に、その部屋への出入口を適宜位置に形成することができる。
【００１５】
又、本発明の空間可変住宅によれば、上記システム家具を使用して複数の部屋に間仕切ることによって、適宜部屋を適宜位置に画成することができる。
【図面の簡単な説明】
【００１６】
【図１】本発明のシステム家具の構成要素である引戸付き収納家具の（Ａ）は正面図、（Ｂ）は背面図、（Ｃ）は側面図、（Ｄ）はＡ−Ａ線断面図、（Ｅ）は平面図、（Ｆ）は底面図である。
【図２】図１の引戸付き収納家具の上枠と引戸との連結構造を示す（Ａ）は分解斜視図、（Ｂ）は連結部の拡大断面図である。
【図３】図１の引戸付き収納家具の昇降機構を示す（Ａ）は平面図、（Ｂ）は正面断面図、（Ｃ）は車輪を床面に当接した状態における側面断面図であり、（Ｄ）は車輪を床面から離反させた状態における側面断面図である。
【図４】図１の引戸付き収納家具と連結して使用する端部収納家具の（Ａ）は正面図、（Ｂ）は背面図、（Ｃ）は側面図、（Ｄ）はＡ−Ａ線断面図、（Ｅ）は平面図、（Ｆ）は底面図である。
【図５】図１の引戸付き収納家具と図４の端部収納家具を連結する際に使用する見切枠の（Ａ）は左側面図、（Ｂ）は正面図、（Ｃ）は右側面図である。
【図６】図１の引戸付き収納家具と図４の端部収納家具を連結する方法を示す説明図であり、（Ａ）は上枠を離反した状態の斜視図、（Ｂ）は上枠を連結した状態の斜視図である。
【図７】本発明のシステム家具の構成要素である薄型収納家具の（Ａ）は平面図、（Ｂ）は正面図、（Ｃ）は背面図、（Ｄ）はＡ−Ａ線断面図である。
【図８】本発明のシステム家具の構成要素である薄型靴収納箱の（Ａ）は平面図、（Ｂ）は正面図、（Ｃ）は背面図、（Ｄ）はＡ−Ａ線断面図である。
【図９】本発明のシステム家具の構成要素である厚型収納家具の（Ａ）は平面図、（Ｂ）は正面図、（Ｃ）は背面図、（Ｄ）はＡ−Ａ線断面図である。
【図１０】本発明のシステム家具の構成要素であるクローゼットの（Ａ）は平面図、（Ｂ）は正面図、（Ｃ）は背面図、（Ｄ）はＡ−Ａ線断面図である。
【図１１】図１の引戸付き収納家具と図４の端部収納家具を連結し、部屋間の出入口を構成した状態における斜視図である。
【図１２】本発明のシステム家具を使用して居住空間を間仕切る方法を説明するものであり、（Ａ）は間仕切る前の平面配置図であり、（Ｂ）間仕切り後の平面配置図である。
【図１３】本発明のシステム家具を使用して居住空間を間仕切る方法を説明する平面配置図である。
【図１４】本発明のシステム家具を使用して居住空間を間仕切る方法を説明する平面配置図である。
【発明を実施するための形態】
【００１７】
以下、本発明のシステム家具の好適な実施形態について、図面を参照して詳細に説明する。
【００１８】
本発明のシステム家具は、図６乃至図１１に示すように、引戸付き収納家具１０、端部
収納家具２０、薄型収納家具４０、薄型靴収納箱５０、厚型収納家具６０及びクローゼット７０から構成してある。
【００１９】
引戸付き収納家具１０は、図１に示すように、収納本体１１と、上枠１２と、引戸１３と、車輪１４と、台枠１５と、昇降機構１６と、から構成してある。
【００２０】
収納本体１１は、天板１１１と、底板１１２と、側板１１３，１１３と、仕切板１１４と、棚板１１５と、から構成してある。
【００２１】
天板１１１は、ゴム、合成樹脂等から成る軟質材１１１ａを固着してあり、軟質材１１１ａは適度に弾性変形して、天井に密接するようになっている。
【００２２】
仕切板１１４は、天板１１１と固定棚板１１５ａとを連結する上側仕切版１１４ａと、固定棚板１１５ａと底板１１２とを連結する下側仕切板１１４ｂとから成る。
そして、この仕切板１１４によって、収納本体１１の正面側と背面側とが仕切られ、正面側戸棚１７Ａ，背面側戸棚１７Ｂが構成されるようになっている。
【００２３】
側板１１２，１１２は、その内側面に所定間隔で複数の突起部１１２ａ，１１２ｂを配設してある。
この突起部１１２ａ，１１２ｂに可動棚板１１５ｂ，１１５ｃを載置することによって、適宜位置に可動棚板１１５ｂ，１１５ｃを配置できるようになっている。
【００２４】
上枠１２は、図１及び２に示すように、正面側上枠１２１と背面側上枠１２２とから構成され、正面側上枠１２１の下端面には案内枠１２３を固着してある。
正面側上枠１２１は、Ｌ型金具１２４によって収納本体１１の正面上部に右半部を固定してあり、左半部は左横方向に突出させてある。そして、正面側上枠１２１の長さは、収納本体１１の横幅の略２倍の長さとしてある。
【００２５】
背面側上枠１２２は、正面側上枠１２１の左半部の背面に固定してあり、正面側上枠１２１を補強している。
【００２６】
引戸１３は、前記正面側上枠１２１に吊下されており、収納本体１１の高さから上枠１２の縦幅を引いた高さとし、その横幅は、収納本体１１と略同一の横幅としてある。
【００２７】
引戸１３は、図２に示すように、その両側上端部に支持部材１３１を固定してあり、支持部材１３１の上方には連結部材１３２を介して案内ローラー１３３，１３３を回転自在に支持してある。
【００２８】
そして、図２に示すように、案内ローラー１３３，１３３は、案内枠１２３内に挿入されて、案内枠１２３に沿って転動できるようになっている。
よって、引戸１３は、正面側上枠１２１に吊下状態となって、正面側上枠１２１に沿って摺動するようになっている。
【００２９】
又、引戸１３の正面左端には引手１３ａを形成してあり、この引手１３ａに片手を掛けて引くことによって、引戸１３は正面側上枠１２１に沿って収納本体１１の正面を摺動するようになっている。
【００３０】
よって、引戸１３は、部屋間の出入口を構成すると共に、収納本体１１の扉体をも兼ねるようになっており、引戸１３を右方に引き、出入口を開放した場合には、収納本体１１の正面側戸棚１７Ａは閉鎖されるようになっている。
【００３１】
車輪１４は、支持部材１４１、支持板材１４２を介して底板１１２の下側面に配設してあり、転動及び固定自在となっている。
【００３２】
台枠１５は、図３に示すように、外側台枠１５１と内側台枠１５２とから構成され、外側台枠１５１は底板１１２の下側面に固着してある。
一方、内側台枠１５２は、外側台枠１５１の内側に配設してあり、昇降機構１６によって昇降自在となっている。
【００３３】
昇降機構１６は、図３に示すように、作用ボルト１６１の上端部を支持板材１４２に回転自在に支持し、下端部を内側台枠１５２の連結板材１５３に回転自在に支持してある。
そして、支持板材１４２と連結板材１５３とをリンク機構１５４，１５５及び連結杆１５６，１５７で連結してあり、ハンドル１５８により作用ボルト１６１を回動させることによって、リンク機構１５４，１５５が作動し、内側台枠１５２が昇降動するようになっている。
【００３４】
よって、内側台枠１５２を上昇させ、車輪１４を床面に当接させれば、引戸付き収納家具１０は適宜位置に移動できるようになり、内側台枠１５２を下降させ、車輪１４を床面から離反させれば、引戸付き収納家具１０は適宜位置に固定できるようになっている。
【００３５】
引戸付き収納家具１０と連結して使用する端部収納家具２０は、図４に示すように、収納本体２１と、扉体２２と、車輪２３と、台枠２４と、昇降機構２５と、から構成してある。
【００３６】
収納本体２１は、天板２１１と、底板２１２と、側板２１３，２１３と、棚板２１４と、から構成してある。
【００３７】
天板２１１は、ゴム、合成樹脂等から成る軟質材２１１ａを固着してあり、軟質材２１１ａは適度に弾性変形して、天井に密接するようになっている。
【００３８】
側板２１３，２１３は、その内側面に所定間隔で複数の突起部２１３ａ，２１３ｂを配設してある。
この突起部２１３ａ，２１３ｂに可動棚板２１４を載置することによって、適宜位置に可動棚板２１４を配置できるようになっている。
【００３９】
扉体２２の正面右端には取手２２ａを配設してあり、この取手２２ａを片手で把持して手前に引くことによって、扉体２２を開放することができるようになっている。
【００４０】
車輪２３、台枠２４及び昇降機構２５の構成は、引戸付き収納家具１におけると同様である。
【００４１】
引戸付き収納家具１０と端部収納家具２０とを連結するには、図５に示すように、見切枠３０を使用する。
【００４２】
見切枠３０は、図５に示すように、上端部に切欠部３０ａを形成してあり、この切欠部３０ａに引戸付き収納家具１０の上枠１２の先端部１２ａが嵌合するようになっている。
【００４３】
よって、図６に示すように、見切枠３０を端部収納家具２０の側板２１３の外側面にボルトによって固定し、引戸付き収納家具１０の上枠１２の先端部１２ａをこの切欠部３０ａに嵌合すれば、引戸付き収納家具１０と端部収納家具２０とを連結することができる。
【００４４】
上記のように、収納本体１１の正面上部から横方向に突出させて上枠１２を配設し、かつ、上枠１２を両端支持状態としたから、十分な強度を備えることができるから、引戸１３は揺動することなく、円滑に摺動させることができると共に、当接時にも引戸１３がガタつき難くなる。
【００４５】
さらに、引戸付き収納家具１０、端部収納家具２０に強度の圧力が付勢された場合にあっても、上枠１２が見切枠３０の切欠部３０ａから逸脱するから、上枠１２、引戸１３が簡単に破損し、破壊してしまうこともない。
【００４６】
薄型収納家具４０は、図７に示すように、収納本体４１と、扉体４２と、車輪４３と、台枠４４と、昇降機構４５と、から構成してある。
【００４７】
薄型収納家具４０は、その横幅が端部収納家具２０より広いこと、扉体４２が両開きになっていることを除けば、端部収納家具２０の構成と略同様である。
【００４８】
薄型靴収納箱５０は、図８に示すように、収納本体５１と、扉体５２と、車輪５３と、台枠５４と、昇降機構５５と、から構成してある。
【００４９】
薄型靴収納箱５０は、靴を収納する用途に適当であるという点を除けば、薄型収納家具４０の構成と略同様である。
【００５０】
厚型収納家具６０は、図９に示すように、収納本体６１と、扉体６２と、車輪６３と、台枠６４と、昇降機構６５と、から構成してある。
【００５１】
厚型収納家具６０は、その厚さが薄型収納家具４０より厚いことを除けば、薄型収納家具４０の構成と略同様である。
【００５２】
クローゼット７０は、図１０に示すように、収納本体７１と、扉体７２と、車輪７３と、台枠７４と、昇降機構７５と、から構成してある。
【００５３】
クローゼット７０は、収納本体７１の内側上部に固定棚板７１１とハンガー７１２を配設してある点を除けば、厚型収納家具６０の構成と略同様である。
【００５４】
本発明のシステム家具は、以上のような構成要素から構成されており、これらシステム家具を使用して複数の部屋に間仕切ることによって、以下のように、適宜部屋を適宜位置に画成することができ、空間可変住宅を実現することができる。
【００５５】
図１１に示すように、引戸付き収納家具１０、端部収納家具２０に他の間仕切り収納家具４０，５０を連結すれば、居住空間Ｓを複数の部屋に間仕切ることができると共に、各部屋間の出入口Ｅを構成することができる。
【００５６】
さらに、引戸付き収納家具１０、端部収納家具２０、間仕切り収納家具４０，５０，６０，７０を適宜組合せて連結すれば，図１２乃至図１４に示すように、居住空間Ｓを居住者の希望する適宜間取りにすることができる。
【００５７】
図１３（Ａ）に示すように、引戸付収納家具１０、端部収納家具３０、薄型収納家具４０、薄型靴収納箱５０、厚型収納家具６０、クローゼット７０を連結すれば、居住空間Ｓを間仕切って２つのゲストルームを画成することができると共に、そのゲストルームの適宜位置に出入口Ｅを構成することができる。
【００５８】
図１３（Ｂ）に示すように、引戸付収納家具１０、端部収納家具２０、薄型収納家具４０、薄型靴収納箱５０、厚型収納家具６０、クローゼット７０を連結すれば、居住空間Ｓを間仕切ってギャラリースペースを画成することができると共に、そのギャラリースペースの適宜位置に出入口Ｅを構成することができる。
【００５９】
図１４（Ａ）に示すように、引戸付収納家具１０、端部収納家具２０、薄型収納家具４０、薄型靴収納箱５０、厚型収納家具６０、クローゼット７０を連結すれば、居住空間Ｓを間仕切って、一方を閉鎖状態とし、他方を開放状態としたパーティースペースを画成することができると共に、そのパーティースペースの適宜位置に出入口Ｅを構成することができる。
【００６０】
図１４（Ｂ）に示すように、引戸付収納家具１０、端部収納家具２０、薄型収納家具４０、薄型靴収納箱５０、厚型収納家具６０、クローゼット７０を連結すれば、居住空間Ｓを間仕切ってストレージスペースを画成することができると共に、そのストレージスペースの適宜位置に出入口Ｅを構成することができる。
【００６１】
以上のように、本発明のシステム家具によれば、複数種類の収納家具を適宜組合せることによって、完全に居住空間を間仕切って閉鎖した部屋を画成することができると共に、その部屋への出入口を適宜位置に形成することができる。
そして、上記システム家具を使用して複数の部屋に間仕切ることによって、適宜部屋を適宜位置に画成することができる本発明の空間可変住宅を実現することができる。
【符号の説明】
【００６２】
１０  引戸付収納家具
１１  収納本体
１２  上枠
１３  引戸
２０  端部収納家具
４０  薄型収納家具
５０  薄型靴収納箱
６０  厚型収納家具
７０  クローゼット
【図１】
2015208658.tif 000003
【図２】
2015208658.tif 000004
【図３】
2015208658.tif 000005
【図４】
2015208658.tif 000006
【図５】
2015208658.tif 000007
【図６】
2015208658.tif 000008
【図７】
2015208658.tif 000009
【図８】
2015208658.tif 000010
【図９】
2015208658.tif 000011
【図１０】
2015208658.tif 000012
【図１１】
2015208658.tif 000013
【図１２】
2015208658.tif 000014
【図１３】
2015208658.tif 000015
【図１４】
2015208658.tif 000016